(57)【要約】【課題】複数のＬＥＤチップを被覆するように設ける封止樹脂部の割れを防止して信頼性の高い発光装置を提供する。【解決手段】長方形の実装基板と、該実装基板上に間隔をおいて実装される複数のＬＥＤチップと、該複数のＬＥＤチップを被覆するように設ける封止樹脂部とを備え、長方形の光源とした発光装置において、前記封止樹脂部における各ＬＥＤチップ間に弾性部材からなる隔壁を設け、封止樹脂部の膨張収縮により発生する内部応力の緩和、均等化を図り封止樹脂部に発生する割れを防止する。【選択図】図１
2011082310.tif 000002
【特許請求の範囲】
【請求項１】
長方形の実装基板と、該実装基板上に間隔をおいて実装される複数のＬＥＤチップと、該複数のＬＥＤチップを被覆するように設ける封止樹脂部とを備え、長方形の光源とした発光装置において、前記封止樹脂部における各ＬＥＤチップ間に弾性部材からなる隔壁を設けたことを特徴とする発光装置。
【請求項２】
前記隔壁における前記封止樹脂部の厚さ方向の大きさは前記封止樹脂部の厚さと同等または僅かに大きいことを特徴とする請求項１に記載の発光装置。
【請求項３】
前記隔壁により分断された各封止樹脂部の平面形状が略正方形の形状をなすことを特徴とする請求項１または請求項２に記載の発光装置。
【請求項４】
前記封止樹脂部は前記複数のＬＥＤチップを取り囲むように形成する透光性樹脂と、該透光性樹脂の長手方向側壁に設ける枠体とを有することを特徴とする請求項１から請求項３のいずれか１項に記載の発光装置。
【請求項５】
前記封止樹脂部は前記複数のＬＥＤチップを取り囲むように形成する透光性樹脂と、該透光性樹脂における各ＬＥＤチップ間に設ける枠体とを有し、該枠体に弾性部材からなる隔壁を設けたことを特徴とする請求項１から請求項４のいずれか１項に記載の発光装置。
【請求項６】
前記枠体は光反射性部材であることを特徴とする請求項４または請求項５に記載の発光装置。
【請求項７】
前記隔壁は光反射性を有することを特徴とする請求項１、２、３、５のいずれか１項に記載の発光装置。
【発明の詳細な説明】
【技術分野】
【０００１】
本発明は、各種照明用の発光装置に関し、特に複数のＬＥＤ素子を列状に配置して光源とした発光装置に関する。
【背景技術】
【０００２】
発光ダイオード（ＬＥＤ）を用いた発光装置は、その低消費電力および高寿命といった素子の特徴から、携帯電話機器に代表される多くの電子機器や各種制御機器に搭載されている。このような電子機器のキー照明、バックライト光源等に用いられるＬＥＤ素子は単個では光量が不足するので、複数個のＬＥＤ素子を列状に搭載して光源とした発光装置の例が開示されている。図１３は従来の発光装置の平面図、図１４は図１３におけるＡ−Ａ断面図である。図１３、図１４に示すように、この従来の発光装置１は長方形の絶縁基板２上にその長手方向に沿って所定の間隔を保って複数のＬＥＤチップ７が列状に配置されている。各ＬＥＤチップ７は絶縁基板２の表面に設ける電気回路パターン（図示せず）とボンディングワイヤー９を介してそれぞれ接続されている。さらに、このＬＥＤチップ７とボンディングワイヤー９とは封止樹脂部３によって覆われるように樹脂封止されている（例えば、特許文献１参照。）。
【先行技術文献】
【特許文献】
【０００３】
【特許文献１】特開平９−９７９２９号公報（第２−３頁、図９−１１）
【発明の概要】
【発明が解決しようとする課題】
【０００４】
しかしながら図１３、図１４に示すように、従来の発光装置は複数個のＬＥＤ素子を列状に搭載して光源とするため細長い直方体の形状となり封止樹脂部も細長い直方体の形状となる。このため、図１５に示すように封止樹脂部３は温度変化によって膨張し変形する。このとき、封止樹脂部３の平面形状が長方形形状であるため発生する内部応力が大きく、また、各方向における内部応力が不均等となる。このように封止樹脂部３は環境温度の変化による膨張収縮によって内部応力の集中する箇所が生じ、この部分に割れが発生するおそれがあった。また、温度サイクル等の信頼性試験により封止樹脂部３に割れが生じ、発光装置の寿命が著しく低下するという問題があった。
【０００５】
（目的）
本発明は上記課題に鑑みてなされたものであり、複数のＬＥＤチップを被覆するように設ける封止樹脂部の膨張収縮により発生する内部応力の緩和、均等化を図り封止樹脂部に発生する割れを防止して信頼性の高い発光装置を提供することを目的とするものである。
【課題を解決するための手段】
【０００６】
上記課題を解決ために本発明の発光装置は、長方形の実装基板と、該実装基板上に間隔をおいて実装される複数のＬＥＤチップと、該複数のＬＥＤチップを被覆するように設ける封止樹脂部とを備え、長方形の光源とした発光装置において、前記封止樹脂部における各ＬＥＤチップ間に弾性部材からなる隔壁を設けたことを特徴とする。
【０００７】
また、前記隔壁における前記封止樹脂部の厚さ方向の大きさは前記封止樹脂部の厚さと同等または僅かに大きいことを特徴とする。
【０００８】
また、前記隔壁により分断された各封止樹脂部の平面形状が略正方形の形状をなすことを特徴とする。
【０００９】
また、前記封止樹脂部は前記複数のＬＥＤチップを取り囲むように形成する透光性樹脂と、該透光性樹脂の長手方向側壁に設ける枠体とを有することを特徴とする。
【００１０】
また、前記封止樹脂部は前記複数のＬＥＤチップを取り囲むように形成する透光性樹脂と、該透光性樹脂における各ＬＥＤチップ間に設ける枠体とを有し、該枠体に弾性部材からなる隔壁を設けたことを特徴とする。
【００１１】
また、前記枠体は光反射性部材であることを特徴とする。
【００１２】
また、前記隔壁は光反射性を有することを特徴とする。
【発明の効果】
【００１３】
本発明によれば、複数のＬＥＤチップを被覆するように設ける封止樹脂部における各ＬＥＤチップ間に弾性部材からなる隔壁を設けることによって、封止樹脂部の膨張収縮による内部応力の発生を緩和することができる。さらに、封止樹脂部の平面形状を略正方形形状とすることによって封止樹脂部の各方向における内部応力を均等化にすることができる。これによって封止樹脂部に発生する割れを防止することが可能となり信頼性が高く、且つ大量生産が可能な発光装置を実現することができる。
【００１４】
また、隔壁を光反射性を有する材料で構成することにより、ＬＥＤチップから発光した光の利用効率を向上させることができる。さらに、封止樹脂部を複数のＬＥＤチップを取り囲むように形成する透光性樹脂と光反射性を有する枠体とで構成することによりＬＥＤチップから発光した光の利用効率を向上させることができる。
【図面の簡単な説明】
【００１５】
【図１】本発明の実施例１における発光装置を示す斜視図である。
【図２】本発明の実施例１における発光装置を示す平面図である。
【図３】図２におけるＡ−Ａ断面図である。
【図４】本発明の実施例２における発光装置を示す斜視図である。
【図５】本発明の実施例２における発光装置を示す平面図である。
【図６】図５におけるＡ−Ａ断面図である。
【図７】本発明の実施例３における発光装置を示す図斜視図である。
【図８】本発明の実施例３における発光装置を示す平面図である。
【図９】本発明の実施例４における発光装置を示す図斜視図である。
【図１０】本発明の実施例４における発光装置を示す平面図である。
【図１１】図１０におけるＡ−Ａ断面図である。
【図１２】本発明の実施例１における封止樹脂部の変形状態を示す断面図である。
【図１３】従来技術における発光装置を示す平面図である。
【図１４】図１３におけるＡ−Ａ断面図である。
【図１５】従来技術における封止樹脂部の変形状態を示す断面図である。
【発明を実施するための形態】
【００１６】
図１から図３は本発明の実施形態における実施例１の発光装置を示す図、図１２は実施例１における封止樹脂部の変形状態を示す図である。また、図４から図６は、実施例２の発光装置を示す図、図７から図８は実施例３の発光装置を示す図、図９から図１１は実施例４の発光装置を示す図である。以下、図に基づいて具体的実施例について説明する。
【実施例１】
【００１７】
図１は実施例１における発光装置を示す斜視図、図２は実施例１における発光装置の平面図、図３は図２におけるＡ−Ａ断面図である。また、図１２は実施例１における発光装置の封止樹脂部の変形状態を示す断面図である。図１、図２、図３に示すように実施例１における発光装置１０は、縦横比が異なる細長い長方形形状の実装基板１１と、この実装基板１１上の長手方向に列状に間隔をおいて実装される赤色ＬＥＤチップ１２ａ、緑色ＬＥＤチップ１２ｂ、緑色ＬＥＤチップ１２ｃ、青色ＬＥＤチップ１２ｄと、実装基板１１上の両端部付近で赤色ＬＥＤチップ１２ａに隣接する部位に設けるダミー部６１、青色ＬＥＤチップ１２ｄに隣接する部位に設けるダミー部６２と、各ＬＥＤチップ１２ａ、１２ｂ、１２ｃ、１２ｄ、ダミー部６１、６２被覆するように設ける透光性樹脂１３及び各透光性樹脂１３の周囲を取り囲むよう設ける枠体１８からなる封止樹脂部７１とを備えている。なお、ダミー部６１、６２にはＬＥＤチップは搭載されておらず、実装基板１１の長手方向の両端部に対応する透光性樹脂１３の側壁には枠体１８は設けられていない。
【００１８】
この枠体１８には、ダミー部６１、ＬＥＤチップ１２ａと、ＬＥＤチップ１２ａ、１２ｂと、ＬＥＤチップ１２ｂ、１２ｃと、ＬＥＤチップ１２ｃ、１２ｄと、ＬＥＤチップ１２ｄ、ダミー部６２とのそれぞれの中間に対応する位置に互いを分断するように弾性部材からなる隔壁１５が形成されている。この隔壁１５の材料としては、シリコーン系のゴム樹脂等が好適である。また、隔壁１５は、対応する位置に溝を形成して、この溝にゴム樹脂を充填することによって形成される。このように、各ＬＥＤチップ１２ａ、１２ｂ、１２ｃ、１２ｄは、透光性樹脂１３と枠体１８からなる封止樹脂部７１によってそれぞれ封止され、各封止樹脂部７１の中間に隔壁１５が形成されている。
【００１９】
実装基板１１はガラスエポキシ樹脂等からなり、この実装基板１１には回路パターン（図示せず）が形成されており、実装基板１１に実装された各ＬＥＤチップ１２ａ、１２ｂ、１２ｃ、１２ｄと回路パターンとがボンディングワイヤー１９を介して電気的に接続されている。また、各ＬＥＤチップ１２ａ、１２ｂ、１２ｃ、１２ｄとボンディングワイヤー１９とをそれぞれ被覆するように設ける透光性樹脂１３にはエポキシ、シリコーン樹脂などが用いられる。また、枠体１８は光反射性部材からなり、酸化チタンを含有させた白色樹脂や、その他の金属微粒子等の高反射性材料を含有させた樹脂材料が適用され、樹脂材料としては、エポキシ、シリコーン樹脂などが用いられる。
【００２０】
図２に示すように、各ＬＥＤチップ１２ａ、１２ｂ、１２ｃ、１２ｄを取り囲むように形成されている透光性樹脂１３と枠体１８とで構成される封止樹脂部７１の平面形状は、一方の辺の長さａの値と、これと直交する他方の辺の長さｂの値とがほぼ等しくなるように設定されており、略正方形の形状となっている。即ち、長方形形状の実装基板１１上に形成されている封止樹脂部７１が隔壁１５によって分断され個々に独立して均衡のとれた略正方形形状となる。このように封止樹脂部７１の平面形状を略正方形形状とすることにより、図１２に示すように個々に独立した封止樹脂部７１は、それぞれ個別に膨張収縮することになる。また、各封止樹脂部７１間に弾性部材からなる隔壁１５を設けることにより封止樹脂部７１の膨張収縮による内部応力を緩和することができる。この結果、封止樹脂部７１の膨張収縮により発生する内部応力が緩和され、且つ均等化される。これにより封止樹脂部７１に発生する割れを防止して信頼性が高い発光装置を得ることができる。
【００２１】
また、光反射性部材からなる枠体１８をＬＥＤチップを封止する透光性樹脂１３の周囲に形成することによって、各ＬＥＤチップ１２ａ、１２ｂ、１２ｃ、１２ｄから発光した光の利用効率を向上させることができる。なお、本実施例における隔壁１５における透光性樹脂１３の厚さ方向に対応する高さｄの値は、図１に示すように実装基板１１の表面から枠体１８の上面までの厚さｃの値とほぼ同等とした。この隔壁１５の高さｄの値は、実装基板１１の表面から封止樹脂部７１の上面までの厚さｃよりも大きい値に設定し、隔壁１５の底部が実装基板１１に僅かに食い込むように形成しても良い。また、図３に示す隔壁１５の幅ｅの値については特に限定されものではないが、本実施例においては１００μｍとした。また、図１に示す枠体１８の側壁の厚さｆ、ｇの値についても特に限定されるものではないが、本実施例においては、２００μｍとした。
【実施例２】
【００２２】
図４は実施例２における発光装置を示す斜視図、図５は実施例２における発光装置の平面図、図６は図５におけるＡ−Ａ断面図である。実施例２における発光装置は、４個の青色ＬＥＤチップを搭載し、封止樹脂部を蛍光性樹脂と枠体とで構成し、枠体を蛍光性樹脂における実装基板の長手方向の両側壁に設けた点が実施例と異なっている。また、隔壁については、高反射性材料を含有させた点が異なるだけで、その他の点は実施例１と同様である。したがって同一構成要素については同じ符号を付与し説明を省略する。
【００２３】
図４、図５、図６に示すように実施例２における発光装置２０は、縦横比が異なる細長い長方形形状の実装基板１１と、この実装基板１１上の長手方向に列状に間隔をおいて実装される４個の青色ＬＥＤチップ２２ａ、２２ｂ、２２ｃ、２２ｄと、各ＬＥＤチップ２２ａ、２２ｂ、２２ｃ、２２ｄを取り囲むように設ける蛍光体を含有する蛍光性樹脂２３及び各蛍光性樹脂２３における実装基板１１の長手方向の両側壁に設ける枠体２８からなる封止樹脂部７２とを備えている。
【００２４】
この封止樹脂部７２は、実施例１と同様に、各ＬＥＤチップ間に対応する位置に設ける隔壁１５によって分断され、この分断された島状の封止樹脂部７２によって各ＬＥＤチップ２２ａ、２２ｂ、２２ｃ、２２ｄが、それぞれ独立して封止されている。また、図５に示すように発光装置２０の両端部には実施例１と同様にそれぞれダミー部６１、６２が設けられており、封止樹脂部７２におけるダミー部６１とＬＥＤチップ２２ａとの中間、及びダミー部６２とＬＥＤチップ２２ｄとの中間に対応する位置にも隔壁２５が形成されている。この隔壁２５は、酸化チタン等の光に対して高反射性を有する金属微粒子が含有させ、光反射性を持たせた点が実施例１とことなっており、その他の点は同様であるため説明は省略する。
【００２５】
実装基板１１に実装された各ＬＥＤチップ２２ａ、２２ｂ、２２ｃ、２２ｄと回路パターンとがボンディングワイヤー１９を介して電気的に接続されている。ＬＥＤチップ２２ａ、２２ｂ、２２ｃ、２２ｄは、いずれもＩｎＧａＮ等を含む青色ＬＥＤであり、蛍光性樹脂２３は、シリコーン樹脂にＹＡＧ：Ｃｅ（セリウム添加イットリウム・アルミニウム・ガーネット）等の黄色蛍光体を含有させたものである。青色ＬＥＤからなるＬＥＤチップ２２ａ、２２ｂ、２２ｃ、２２ｄを黄色蛍光体が含有されているシリコーン樹脂からなる蛍光性樹脂２３で被覆、封止することにより、青色ＬＥＤからの励起光で黄色蛍光体を発光させ黄色蛍光体を透過する青色光と、蛍光体からの黄色光とが混合され白色光が得られる。また、枠体２８は実施例１における枠体１８と形状が異なるだけで、その他は同様であるため説明を省略する。
【００２６】
図５に示すように、封止樹脂部７２の平面形状は、実施例１と同様に略正方形の形状となっており、個々に独立した封止樹脂部７２は、それぞれ個別に膨張収縮する。また、封止樹脂部７２間に隔壁２５を設けることにより、封止樹脂部７２に発生する内部応力が緩和され、且つ均等化される。これにより実施例１と同様に封止樹脂部７２に発生する割れを防止して信頼性が高い発光装置を得ることができる。また、光反射性部材からなる枠体２８を各蛍光性樹脂２３における実装基板１１の長手方向の両側壁に形成するとともに、光反射性を有する隔壁２５を封止樹脂部７２間に設けることによって、各青色ＬＥＤチップ２２ａ、２２ｂ、２２ｃ、２２ｄから発光した光の利用効率を向上させることができる。なお、本実施例における隔壁２５の高さｄ、幅ｅの値は、実施例１と同様である。また、図４に示す枠体２８の側壁の厚さｆの値についても特に限定されるものではないが、本実施例においては、２００μｍとした。
【実施例３】
【００２７】
図７は実施例３における発光装置を示す斜視図、図８は実施例３における発光装置の平面図である。実施例３における発光装置は、封止樹脂部の構造が実施例１と異なっており、その他の点は実施例１と同様である。したがって同一構成要素については同じ符号を付与し説明を省略する。図７、図８に示すように実施例３の発光装置３０は、実装基板１１と、この実装基板１１上に実装されるＬＥＤチップ１２ａ、１２ｂ、１２ｃ、１２ｄと、各ＬＥＤチップ１２ａ、１２ｂ、１２ｃ、１２ｄを取り囲むように設ける透光性樹脂１３及び透光性樹脂１３における各ＬＥＤチップ間に設ける枠体３８からなる封止樹脂部７３とを備えている。
【００２８】
この封止樹脂部７３は、実施例１と同様に、各ＬＥＤチップ間の枠体３８に設ける隔壁１５によって分断され、この分断された島状の封止樹脂部７３によって各ＬＥＤチップ１２ａ、１２ｂ、１２ｃ、１２ｄが、それぞれ独立して封止されている。また、図８に示すように発光装置３０の両端部には実施例１と同様にそれぞれダミー部６１、６２が設けられており、封止樹脂部７３におけるダミー部６１とＬＥＤチップ１２ａとの間、及びダミー部６２とＬＥＤチップ１２ｄとの間の枠体３８にも隔壁１５が形成されている。なお、実装基板１１、ＬＥＤチップ１２ａ、１２ｂ、１２ｃ、１２ｄ、透光性樹脂１３については、実施例１と同様であるため説明を省略する。また、枠体３８についても実施例１における枠体１８と形状が異なるだけで、その他は同様であるため説明を省略する。
【００２９】
図８に示すように、封止樹脂部７３の平面形状は、実施例１と同様に略正方形の形状となっており、個々に独立した封止樹脂部７３は、それぞれ個別に膨張収縮し、隔壁１５によって、封止樹脂部７３に発生する内部応力を緩和することができ、実施例１と同様の効果を得ることができる。また、光反射性部材からなる枠体３８を透光性樹脂１３における各ＬＥＤチップ、ダミー部間に形成し、この枠体３８に隔壁１５を設けることによってＬＥＤチップ１２ａ、１２ｂ、１２ｃ、１２ｄから発光した光の利用効率を向上させることができる。なお、本実施例における隔壁１５の高さｄ、幅ｅの値は、実施例１と同様である。また、図８に示す枠体３８の壁の厚さｇの値についても特に限定されるものではないが本実施例においては、２００μｍとした。
【実施例４】
【００３０】
図９は実施例４における発光装置を示す斜視図、図１０は実施例４における発光装置の平面図、図１１は図１０におけるＡ−Ａ断面図である。実施例４における発光装置は、隔壁の高さと光反射性を有する点と、封止樹脂部が透光性樹脂で構成されている点とが実施例３と異なっており、その他の点は実施例３と同様である。したがって同一構成要素については同じ符号を付与し説明を省略する。図９−図１１に示すように実施例４の発光装置４０は、実装基板１１と、この実装基板１１上に実装されるＬＥＤチップ１２ａ、１２ｂ、１２ｃ、１２ｄと、各ＬＥＤチップ１２ａ、１２ｂ、１２ｃ、１２ｄを取り囲むように封止樹脂部としての透光性樹脂１３とを備えている。
【００３１】
この透光性樹脂１３は、各ＬＥＤチップ間に設ける隔壁３５によって分断され、この分断された島状の透光性樹脂１３によって各ＬＥＤチップ１２ａ、１２ｂ、１２ｃ、１２ｄが、それぞれ封止されている。また、図１１に示すように発光装置４０の両端部には実施例３と同様にそれぞれダミー部６１、６２が設けられており、透光性樹脂１３におけるダミー部６１とＬＥＤチップ１２ａとの間、及びダミー部６２とＬＥＤチップ１２ｄとの間にも隔壁３５が形成されている。この隔壁３５は、酸化チタン等の光に対して高反射性を有する金属微粒子が含有されており光反射性を有する。なお、実装基板１１、ＬＥＤチップ１２ａ、１２ｂ、１２ｃ、１２ｄ、透光性樹脂１３については、実施例１と同様であるため説明を省略する。
【００３２】
図１１に示すように、透光性樹脂１３の平面形状は、実施例１と同様に略正方形の形状となっており、また、本実施例における隔壁３５の幅ｅの値は実施例１の隔壁１５の幅と同様に１００μｍとしたが、隔壁３５における透光性樹脂１３の厚さ方向に対応する高さｄの値は、実装基板１１の表面から透光性樹脂１３の上面までの厚さｃの値より僅かに大きい値に設定されており、隔壁３５の底部が実装基板１１に僅かに食い込むように形成されている。これにより透光性樹脂１３の各ＬＥＤチップ間の分断が確実となり、個々に独立した透光性樹脂１３における膨張収縮により発生する内部応力の緩和、均等化をより確実にすることができる。また、光反射性を有する隔壁３５を透光性樹脂１３間に設けることによって、各ＬＥＤチップ１２ａ、１２ｂ、１２ｃ、１２ｄから発光した光の利用効率を向上させることができる。その結果、封止樹脂部としての透光性樹脂１３に発生する割れを防止して信頼性が高い発光装置４０を得ることができる。
【００３３】
なお、各実施例においては、発光装置に実装するＬＥＤチップの数を４個の場合を例として説明したが、これらの数に限定されるものではなく、必要に応じて適宜設定することができる。
また、各実施例においては各ＬＥＤチップ間に設ける隔壁の数を１個の場合を例として説明したが、これらの数に限定されるものではなく、必要に応じて適宜設定することができる。
また、ＬＥＤチップを青色ＬＥＤとし、蛍光性樹脂に黄色蛍光体を含有させた例で説明したが、これに限定されるものではなく、その他のＬＥＤ、蛍光体を用いることができる。
【符号の説明】
【００３４】
１０、２０、３０、４０  発光装置
１１  実装基板
１２、２２  ＬＥＤチップ群
１２ａ  赤色ＬＥＤチップ
１２ｂ、１２ｃ  緑色ＬＥＤチップ
１２ｄ  青色ＬＥＤチップ
１３  透光性樹脂
１４ａ  第１の溝部
１４ｂ  第２の溝部
１４ｃ  露出部
１５、２５、３５  隔壁  
１８、２８、３８  枠体
１９  ボンディングワイヤー
２２ａ、２２ｂ、２２ｃ、２２ｄ  青色ＬＥＤチップ
２３  蛍光性樹脂
６０、６１、６２  ダミー部
７１、７２、７３  封止樹脂部
【図１】
2011082310.tif 000003
【図２】
2011082310.tif 000004
【図３】
2011082310.tif 000005
【図４】
2011082310.tif 000006
【図５】
2011082310.tif 000007
【図６】
2011082310.tif 000008
【図７】
2011082310.tif 000009
【図８】
2011082310.tif 000010
【図９】
2011082310.tif 000011
【図１０】
2011082310.tif 000012
【図１１】
2011082310.tif 000013
【図１２】
2011082310.tif 000014
【図１３】
2011082310.tif 000015
【図１４】
2011082310.tif 000016
【図１５】
2011082310.tif 000017